(57)【要約】【課題】ガスメータとガスメータ接続ユニットとの接続機構のねじ接続を無くす。ガスメータを設置するときの施工作業を簡単にする。接続部の漏洩を減らす。ガスメータの交換を簡単にする。【解決手段】ガスメータ６０をガスメータ接続ユニット３０に取り付けるに当たり，メータの当接面６４を接続ユニットの当接面４１に当てる。また、メータの当接面６３を接続ユニットの当接面４０に当てる。ガスメータの入口と出口の丸穴６１と６２に，接続ユニットの円筒状突出部３６と３８をそれぞれ嵌合する。Ｏリング３７と３９で気密を保つ。ハンドル４５を回して、軸４６を回動させ、軸と偏心した円板状の係合手段４４をガスメータ６０の凹所６５に係合させてガスメータを固定する。【選択図】        図４
2005195558.tif 000002
【特許請求の範囲】
【請求項１】
ガスメータ接続ユニットとガスメータとが、両者の相対的姿勢を保持するためのそれぞれ少なくとも１つの当接面を持ち、
ガスメータの入口と出口は、丸穴又は外周にＯリングを備えた円筒状の突出部で形成され、
ガスメータ接続ユニットは、ガスメータの入口と出口に形成された前記丸穴と嵌合するための外周にＯリングを備えた円筒状の突出部、又はガスメータの入口と出口に形成された前記円筒状の突出部と嵌合するための丸穴を有し、
ガスメータに形成した前記丸穴又は円筒状の突出部と、ガスメータ接続ユニットに設けた前記突出部又は丸穴とが嵌合することでガスメータとガスメータ接続ユニットの相対位置の位置決めと、ガスの連通のための接続とが達成される位置決め手段と連通・接続手段が構成され、
ガスメータがガスメータ接続ユニットに接続された状態で、両者を互いに固定する係合手段をガスメータとガスメータ接続ユニットに具備したことを特徴とするガスメータ接続構造。
【請求項２】
ガスメータへのガスの供給を開閉するメータガス栓と、ガスメータ下流のガス圧を検出する検圧孔を有するガス接続ユニットであって、ガスメータの姿勢を保持するための少なくとも１つの当接面をもち、ガスメータの位置決め手段と連通・接続手段としての丸穴又は外周にＯリングを備えた円筒状突出部を有し、
更に、ガスメータをガスメータ接続ユニットに固定する係合手段を具備したことを特徴とするガスメータ接続ユニット。
【請求項３】
ガスメータの姿勢を保持するための少なくとも１つの当接面と、ガスメータの入口と出口に形成した丸穴又は外周にＯリングを備えた円筒状の突出部と、
ガスメータをガスメータ接続ユニットに固定する係合手段を具備したことを特徴とするガスメータ。
【請求項４】
ガスメータ接続ユニットに電子回路を収納する電子回路収納室を設け、該収納室内の電子回路をガスメータと電気的に接続したことを特徴とする請求項１記載のガスメータ接続構造。
【請求項５】
電子回路収納室内の電子回路が無線通信端末であって、電子回路収納室の壁の少なくとも一部を、電波が透過する材料で形成した蓋で構成したことを特徴とする請求項４記載のガスメータ接続構造。
【請求項６】
ガスメータの姿勢を保持するための少なくとも１つの当接面を持ち、ガスメータの位置決め手段と連通・接続手段としての丸穴又は外周にＯリングを備えた円筒状突出部を有し、
更に、ガスメータをガスメータ接続ユニットに固定する係合手段と、
ガスメータと外部との通信を行うための無線通信端末を収納した電子回路収納室と、
該電子回路収納室の壁を構成するための、電波が透過する状態で形成した蓋を具備したことを特徴とするガスメータ接続ユニット。
【発明の詳細な説明】
【技術分野】
【０００１】
本発明はガスメータとガス配管とを接続するガスメータ接続構造と、ガスメータ接続ユニット及びガスメータに関する。
【背景技術】
【０００２】
ガスメータは都市ガスを計量する都市ガスメータにしろ、ＬＰガスを計量するＬＰガスメータにしろ、膜式ガスメータが広く使用されており、ガスメータを設置する需要家の建物の壁面に固定したガス供給配管に、ガスメータの入口と出口の各口金を螺合接続してガスメータを固定するガスメータ接続構造が使われている。これを第１の従来技術と呼ぶことにする。
【０００３】
この第１の従来技術では、ガスメータ回りの配管については、メータガス栓、検圧孔、ガスメータ接続機構、メータ支持金具等の個々の機能を有する継手類と鋼管を用いて、ねじ接合にて配管する構造・工法がとられている。
【０００４】
このような状況に対し、メータガス栓、検圧孔、ガスメータ接続機構及び支持金具を一体化したガスメータ接続ユニットが「ガスメータユニット」の名称で市販されるようになってきた。これを第２の従来技術と呼ぶ（例えば非特許文献１参照）。
【０００５】
このガスメータ接続ユニットを、接続されるべき膜式ガスメータとともに図１に示す。同図（ａ）は正面図、（ｂ）は右側面図で、（ａ）（ｂ）両図共ガスメータ接続ユニット１０とガスメータ２０とは結合（接続）されていない状態を示している。ガスメータ接続ユニット１０は、金属製のユニットベース１１に、メータガス栓１２、検圧孔を開閉するためのプラグ１３、ガスメータ支持機構としての袋ナット１４，１５等と、支持金具（固定金具）１６を一体化した構造になっており、ユニットベース１１の出口孔は、符号１７，１８で示すように上下２方向へのヘッダー構造を採用し、給湯器および屋内燃焼器具への直接配管を可能にしている。１９は、図示されていない上流側ガス配管への接続部である。
【０００６】
膜式ガスメータ２０は、所定の雄ねじを刻設した入口側の口金２１と、出口側の口金２２が所定の間隔（スパン）Ｃをおいて形成されている。前記ガスメータ接続ユニット１０の袋ナット１４，１５の間隔（スパン）Ｃも、口金２１，２２の間隔（スパン）Ｃと同一寸法に定められている。
【０００７】
固定金具１６を需要家の建物の壁面に固定し、ガスメータ２０を図示の位置から持ち上げて、口金２１，２２の雄ねじをガスメータ接続ユニット１０の袋ナット１４，１５に螺合させることで、ガスメータ２０をガスメータ接続ユニット１０に接続・支持させる。２３はガスメータ２０の上ケースで、その上部に口金２１，２２が形成されている。
【０００８】
上記第２の従来技術は、第１の従来技術と比較して、ガスメータを設置する施工現場におけるねじ接続部が少なく、施工時間の短縮ができたが、ガスメータとの配管接続部分は第１の従来技術と同様にユニオンナット（袋ナット）とパッキンで接続されているため、パイプレンチ等の工具を使ったねじ接続の施工を要し、漏洩発生等の問題が残されていた。また、配管接続にはユニオンねじ、ユニオンナット、ユニオンチューブ等が必要で、配管スペースが大きいという問題もなお残されていた。
【０００９】
また、最近のガスメータは、通信回線を介して自動検針等の通信を行うものがある。更に、無線端末を介して無線検針等のサービスを行う機能も要望されている。そして、このような通信端末として、ガスメータと電話回線との間に、ガスメータとは別の「メータ付加価値ユニット」を設けることにより、ガスメータに計量以外のサービス機能も付加するものが公知である。この種のものでは、ガスメータの外部に有線でガスメータと接続した「メータ付加価値ユニット」を設けているので、ガス需要家の建物への設置が面倒であり、かつ設置スペースを大きく必要とするばかりでなく、建物の美観上からも好ましくないという問題があった。
【非特許文献１】日立金属株式会社、配管機器事業部、“新製品紹介  ガスメーターユニット”［online］、［平成１５年１０月１７日検索］、インターネット＜ＵＲＬ：http://www.hitachi-metals.co.jp/prod/prod08/im_p08/08_np9914.pdf>
【発明の開示】
【発明が解決しようとする課題】
【００１０】
近時、膜式ガスメータのような大型のガスメータに代えて、小型化が可能な超音波方式のガスメータの実用化が検討されており、同時にガス供給配管とガスメータとの接続・結合についても、前記第２の従来技術に残されていた問題点を解消できるガスメータ接続構造の実現が要望されている。
【００１１】
そこで本発明は、これらの問題点や前記通信機能にからむ問題点を解消できるガスメータ接続構造とガスメータ接続ユニット及びガスメータを提供することを目的とする。
【課題を解決するための手段】
【００１２】
本発明は、ガスメータ接続ユニットとガスメータとの連通・接続を行う手段として、従来技術のような雄ねじを刻設した口金とか、雌ねじを刻設した袋ナットを用いないで、一方に形成した穴と他方に形成した円筒状の突出部を嵌合させ、円筒状突出部の外周に設けたＯリングで気密を保つようにしたことを最も主要な特徴とする。
【００１３】
そして、上記目的を達成するために、請求項１の発明は、ガスメータ接続ユニットとガスメータとが、両者の相対的姿勢を保持するためのそれぞれ少なくとも１つの当接面を持ち、
ガスメータの入口と出口は、丸穴又は外周にＯリングを備えた円筒状の突出部で形成され、
ガスメータ接続ユニットは、ガスメータの入口と出口に形成された前記丸穴と嵌合するための外周にＯリングを備えた円筒状の突出部、又はガスメータの入口と出口に形成された前記円筒状の突出部と嵌合するための丸穴を有し、
ガスメータに形成した前記丸穴又は円筒状の突出部と、ガスメータ接続ユニットに設けた前記突出部又は丸穴とが嵌合することでガスメータとガスメータ接続ユニットの相対位置の位置決めと、ガスの連通のための接続とが達成される位置決め手段と連通・接続手段が構成され、
ガスメータがガスメータ接続ユニットに接続された状態で、両者を互いに固定する係合手段をガスメータとガスメータ接続ユニットに具備したことを特徴とするガスメータ接続構造である。
【００１４】
請求項２の発明は、ガスメータへのガスの供給を開閉するメータガス栓と、ガスメータ下流のガス圧を検出する検圧孔を有するガス接続ユニットであって、ガスメータの姿勢を保持するための少なくとも１つの当接面をもち、ガスメータの位置決め手段と連通・接続手段としての丸穴又は外周にＯリングを備えた円筒状突出部を有し、
更に、ガスメータをガスメータ接続ユニットに固定する係合手段を具備したことを特徴とするガスメータ接続ユニットである。
【００１５】
請求項３の発明は、ガスメータの姿勢を保持するための少なくとも１つの当接面と、ガスメータの入口と出口に形成した丸穴又は外周にＯリングを備えた円筒状の突出部と、
ガスメータをガスメータ接続ユニットに固定する係合手段を具備したことを特徴とするガスメータである。
【００１６】
請求項４の発明は、請求項１のガスメータ接続構造において、ガスメータ接続ユニットに電子回路を収納する電子回路収納室を設け、該収納室内の電子回路をガスメータと電気的に接続したことを特徴とするものである。
【００１７】
請求項５の発明は、請求項４のガスメータ接続構造において、電子回路収納室内の電子回路が無線通信端末であって、電子回路収納室の壁の少なくとも一部を、電波が透過する材料で形成した蓋で構成したことを特徴とするものである。
【００１８】
請求項６の発明は、ガスメータの姿勢を保持するための少なくとも１つの当接面を持ち、ガスメータの位置決め手段と連通・接続手段としての丸穴又は外周にＯリングを備えた円筒状突出部を有し、
更に、ガスメータをガスメータ接続ユニットに固定する係合手段と、
ガスメータと外部との通信を行うための無線通信端末を収納した電子回路収納室と、
該電子回路収納室の壁を構成するための、電波が透過する状態で形成した蓋を具備したことを特徴とするガスメータ接続ユニットである。
【００１９】
位置決め手段と連通・接続手段は、ガスメータの入口と出口に丸穴を形成し、ガスメータ接続ユニットには外周にＯリングを備えた円筒状の突出部を形成することができる。
【００２０】
また、丸穴と円筒状突出部の関係を逆の関係とし、ガスメータの入口と出口には外周にＯリングを備えた円筒状の突出部を形成し、ガスメータ接続ユニットには丸穴を形成しても良い。
【００２１】
更に又、ガスメータの入口と出口のうち、一方には丸穴を形成し、他方には外周にＯリングを備えた円筒状の突出部を形成し、ガスメータ接続ユニットには、ガスメータ側の丸穴と円筒状突出部にそれぞれ嵌合する外周にＯリングを備えた円筒状の突出部と丸穴とを形成することもできる。
【発明の効果】
【００２２】
ガスメータをガスメータ接続ユニットに連通・接続するのに、ねじ接続を用いていないため、ガスメータの取付や交換が短時間で行え、従来のユニオンナット（袋ナット）方式より確実に接続できるので、漏洩発生等の問題も減少する。
【００２３】
また、第２の従来技術のように、メータガス栓、検圧孔、ガスメータ接続機構、メータ支持機能等の機能が一体化されるため、設置スペースのコンパクト化が図れるが、ユニオンネジ、ユニオンナット、ユニオンチューブ等が不要なため、よりコンパクトになる。
【００２４】
更に又、ガスメータ接続ユニット内に無線通信端末等の電子回路を収納しているので、メータ設置に伴う建物の美観を損なうこともない。  
【発明を実施するための最良の形態】
【００２５】
本発明を実施するための最良の形態を図の実施例に基づいて説明する。
【実施例１】
【００２６】
図２〜図４は本発明の好ましい実施の形態で、何れもガスメータをガスメータ接続ユニットに接続した状態を示し、図２（ａ）は平面図（上面図）、図２（ｂ）は正面図、図２（ｃ）は右側面図、図３（ａ）は図２（ａ）におけるＡ−Ａ断面視図、図３（ｂ）は図２（ｂ）におけるＢ−Ｂ断面視図、図３（ｃ）は図２（ｂ）におけるＣ−Ｃ断面視図、図４（ａ）は斜め上方より見た斜視図、図４（ｂ）は斜め下方よりみた斜視図、図４（ｃ）は図２（ｂ）におけるＢ−Ｂ断面視図、図４（ｄ）は図２（ｂ）におけるＣ−Ｃ断面視図である。
【００２７】
これらの図において、ガスメータ接続ユニット３０には、その金属製のユニットベース３１にメータガス栓３２、検圧孔を開閉するプラグ３３が一体的に取り付けられている。ガスメータ接続ユニット３０の入口孔３４には図示されていない上流側のガス配管を接続するための雌ねじ３４ａが刻設されている。またガスメータ接続ユニット３０の出口孔３５には図示されていない下流側のガス配管を接続するための雌ねじ３５ａが刻設されている。
【００２８】
入口孔３４から流入したガスは、開いているメータガス栓３２を通過して第１の円筒状突出部３６から超音波方式のガスメータ６０に流入する。円筒状突出部３６の外周に設けたＯリング３７は、ガスメータ６０の入口側の丸穴６１の周囲との間で気密を保つ（図３ｂ）、図４（ｃ））。また、ガスメータ接続ユニット３０の第２の円筒状突出部３８は、ガスメータ６０の出口側の丸穴６２に嵌合し、突出部３８の外周に設けたＯリング３９は丸穴６２との間で気密を保つ。
【００２９】
ガスメータ接続ユニット３０のユニットベース３１は、全体として四角い棒状に形成され、四角を形成する４つの面、すなわち第１の面（上面）４０と、第２の面（後面）４１と、第３の面（下面）４２と第４の面（前面）４３とを有し、第２の面（後面）４１から突出するかたちで円筒状の前記突出部３６と３８が突出形成されている。
【００３０】
ガスメータ６０は、特に図３（ｂ）と図４（ｃ）に示されているように、丸穴６１、６２に、前記円筒状突出部３６，３８が嵌合（挿入）されることによって連通・接続され、ユニットベース３１の第２の面（後面）４１に、ガスメータ６０の第１の当接面６３が当接することで、ガスメータ接続ユニット３０とガスメータ６０の相対位置と相対的姿勢が保持される。ガスメータ６０の第２の当接面６４もまた、ユニットベース３１の第１の面（上面）４０と当接することによってもガスメータ接続ユニット３０とガスメータ６０の相対位置と相対的姿勢を保持する作用を有する。したがって、第１の当接面６３と当接するユニットベース３１の第２の面（後面）４１と、第２の当接面６４と当接するユニットベース３１の第２の面（上面）４０は、何れもガスメータ接続ユニット３０の各当接面として作用する。
【００３１】
こうして、第１の当接面６３が対応する当接面としての第２の面（後面）４１に密着し、第２の当接面６４が対応する当接面としての第１の面（上面）４０と密着した状態で、ガスメータ接続ユニットに設けた係合手段４４のハンドル４５を操作して、係合手段４４の軸４６の周りに半回転（１８０度回動）させて図２（ｂ）に示す角度位置まで移動させると、軸４６の軸心４６ａに偏心して形成された円板状の係合手段４４のうち、軸心４６ａから大きな距離にある部分がガスメータ６０に形成された係合手段としての半月形の凹所６５内に嵌入係合する。凹所６５の前後方向の寸法は、円板状の係合手段４４の前後方向の厚みとほぼ同じ寸法に定めてあるため、図２（ｂ）に示す位置に係合手段４４を回動させた状態では、円板状の係合手段４４の一部分が係合手段としての半月形の凹所６５にしっくりと嵌入係合し、ガスメータ６０がガスメータ接続ユニット３０にしっかりと固定された状態を維持する。
【００３２】
この状態では、少なくとも、ガスメータ６０の第１の当接面６３が、ガスメータ接続ユニット３０のユニットベース３１の当接面である第２の面（後面）に当接密着した状態となる。このようにして、係合状態にある係合手段４４と、係合手段としての半月形の凹所６５のいわば鎖錠状態を確保するために、特に図３（ｃ）や図４（ｄ）に示すように回転止め用ねじ４７を螺着してユニットベース３１に対して係合手段４４が相対回動しないように固定する。回転止め用ねじ４７はいじり止め付トルクスねじを用いることで、いたずら等による取り外しを防止している。
【００３３】
ガスが流れるときは、入口孔３４から流入したガスは、円筒状突出部３６からガスメータ６０内に流入し、ガスメータ６０で計量されたガスは、ガスメータの出口である丸穴６２から円筒状突出部３８を通って出口孔３５へ流れる。計量されたガスの使用量は液晶等の表示部４８に表示される。
【００３４】
ガスメータを交換するときは、専用の工具を使って回転止め用ねじ４７を外し、係合手段４４のハンドル４５を半回転させると、係合手段４４がガスメータ６０の係合手段としての半月形の凹所６５から出て外れるため、ガスメータ６０をガスメータ接続ユニットから取り外すことができる。
【００３５】
なお、上記実施例１では、ガスメータ接続ユニット３０側に２つの円筒状突出部３６と３８を形成し、ガスメータ６０側に対応して２つの丸穴６１と６２を設けたが、これとは逆に、ガスメータ６０側に外周にＯリングを備えた円筒状突出部を形成し、ガスメータ接続ユニット３０側に対応する２つの丸穴を設けて、円筒状突出部と丸穴とを嵌合させてもよい。
【００３６】
又、ガスメータ接続ユニット３０側に、外周にＯリングを備えた１つの円筒状突出部と１つの丸穴を形成し、ガスメータ６０側の入口と出口のうち、一方に丸穴を他方には外周にＯリングを備えた円筒状突出部を形成し、ガスメータ側の円筒状突出部をガスメータ接続ユニット側の丸穴に嵌合するとともに、ガスメータ接続ユニット側の円筒状突出部をガスメータ側の丸穴に嵌合させることで、ガスメータ接続ユニットとガスメータの相対位置の位置決めと、ガスの連通のための接続とを達成するように位置決め手段と連通・接続手段を構成することもできる。
【実施例２】
【００３７】
図５と図６は、本発明の実施例２の要部である一部分だけを示す係合手段によるガスメータ固定部回りだけを示している。図５（ａ）は斜め下方からみた斜視図、図５（ｂ）は正面図、図６（ａ）は図５（ｂ）におけるＤ−Ｄ断面視図、図６（ｂ）は同図（ａ）におけるＥ−Ｅ断面視図である。
【００３８】
これらの図面で、前記実施例１と同じ機能を果たす要素は、実施例１と同じ符号をつけて、その説明を省略する。この実施例２は、前記実施例１と比較して係合手段４４Ａの形状が異なる。この実施例では、軸心４６ａと同心の円形の円板の一部を符号４４ａで示すように切欠いた形状になっている。したがって、図５、図６の位置へ係合手段４４Ａを回動させると、ガスメータが固定される。図示の状態から、図６（ｂ）で係合手段４４Ａを反時計方向に９０°回動させると切欠部４４ａが上方に移動し、係合手段４４Ａがガスメータ６０側の係合手段である半月形の凹所６５から外れるため、ガスメータをガスメータ接続ユニット３０から取り外すことができる。
【実施例３】
【００３９】
図７（ａ）（ｂ）（ｃ）は、本発明の実施例３に使うガスメータとガスメータ接続ユニットを示し、同図（ａ）はガスメータを斜め下方からみた斜視図、同図（ｂ）はガスメータ接続ユニットの平面図（上面図）、同図（ｃ）はガスメータ接続ユニットを斜め上方からみた斜視図である。
【００４０】
この実施例も、構成要素の形状がわずかに実施例１，２と違う部分もあるが、その機能が実施例１，２の対応する構成要素と同じであるものは、実施例１，２と同一の符号を付してその説明を省略する。
【００４１】
この実施例３は、前記実施例１，２と殆ど同じような構成要素を具備しているが、図７（ａ）にガスメータ６０の単体を、図７（ｂ）と（ｃ）にガスメータ接続ユニット３０の単体を示しているので、これらの図を見ることによって、実施例１と２の構造、機能をより理解する参考になると考えて図示したものである。この実施例３の構造や機能については、改めて説明することもなく、実施例１や２の説明で足りるであろう。
【実施例４】
【００４２】
図８と図９は本発明の実施例４であるが、前記実施例２の場合と同様に、発明の要部の一部である係合手段によるガスメータ固定部回りだけを示している。図８（ａ）は斜め下方からみた斜視図、図８（ｂ）は正面図、図９（ａ）は図８（ｂ）におけるＦ−Ｆ断面視図、図９（ｂ）は図８（ｂ）におけるＧ−Ｇ断面視図である。
【００４３】
この実施例４も、前記実施例１と同じ機能の構成要素は同じ符号をつけてその説明を省略する。
【００４４】
ガスメータ６０には、図８（ｂ）と図９（ａ）で特に明らかなように、係合手段としてのテーパ穴６５Ｂが形成してある。ガスメータ接続ユニット３０のユニットベース３１にガスメータ６０を当接し、図示されてないガスメータの丸穴とガスメータ接続ユニットの円筒状突出部を嵌合させた状態では、ガスメータの当接面６３はユニットベース３１の上面４０に当接し、ガスメータの当接面６４はユニットベース３１の後面４１に当接した図９（ａ）の状態にある。このとき、先端がわずかに細くなるテーパ状の全体がほぼ丸棒形の係合手段４４Ｂを、ユニットベース３１の穴３１ａ内で上方に移動させて、その上端テーパ部を、ガスメータ６０のテーパ穴６５Ｂに押し込むことで、ガスメータ６０とガスメータ接続ユニット３０の前後左右方向の相対移動が止められ、ガスメータが固定される。
【００４５】
なお、丸棒形の係合手段４４Ｂには半径方向に延在する爪状部材（以後単に爪と呼ぶ）４４ｂが係合手段４４Ｂに一体形成されている。係合手段４４Ｂを図示の上限位置まで移動させる前の段階では、図示位置よりも、係合手段４４Ｂが下方にある。このとき、爪４４ｂはユニットベース３１の上下方向の溝３１ｂ内の下部に位置するが、係合手段４４Ｂを図示上方位置に上げ、時計方向に９０度（１／４回）回動させると、溝３１ｂの上部の左右方向の溝３１ｃにそって、爪４４ｂが図８（ｂ）、図９（ｂ）に示す位置に移る。上下方向の溝３１ｂと左右方向の溝３１ｃとはつながっていて、図８（ｂ）で示すように逆Ｌ字形の溝になっている。そこで、回転止め用ねじ４７で爪４４ｂをユニットベース３１に止めることで、係合手段４４Ｂがガスメータ側の係合手段としてのテーパ穴６５Ｂに係合した状態で鎖錠された状態となり、ガスメータ６０がガスメータ接続ユニット３０に確実に固定される。
【００４６】
ガスメータ交換時は、回転止め用ねじ４７を専用工具を使って外し、係合手段４４Ｂを反時計方向に９０度回動させて、下方に引き出すことによりテーパ穴６５Ｂから抜き出して係合を外す。
【実施例５】
【００４７】
図１０〜１２は本発明の実施例５で、ガスメータをガスメータ接続ユニットに接続した状態を示し、更にガスメータ上流側のガス立上り配管とガスメータ下流のガス立上り配管も図示している。図１０（ａ）は斜め上方からみた斜視図、図１０（ｂ）は斜め下方から見た斜視図、図１１（ａ）は正面図、図１１（ｂ）は側面図、図１１（ｃ）は下面図、図１２（ａ）は図１１（ａ）におけるＡ−Ａ断面視図、図１２（ｂ）は図１１（ａ）におけるＢ−Ｂ断面視図、図１２（ｃ）は図１１（ｂ）におけるＣ−Ｃ断面視図である。
【００４８】
これらの図に示す実施例５において、前記図２〜図４で説明した実施例１と同様の機能を果たす要素は同じ符号を付し、説明を省略する。この実施例５では、立上り配管８１と８２の上端は、図１２（ｃ）に示すように、ガスメータ接続ユニット３０のユニットベース３１に形成した入口孔３４と出口孔３５とにそれぞれ嵌入されて気密的に溶接されている。符号Ｗは溶接部を示す。
【００４９】
ガスメータ接続ユニット４１の当接面４１は、ユニットベース３１の上面に形成され、この当接面４１がガスメータ６０の下面に形成された当接面６４と当接される。ガスメータ接続ユニット３０の当接面４１から上方へ突出する円筒状突出部３６と３８は、ガスメータ６０の入口と出口の各丸穴６１，６２にそれぞれ嵌合し、ガスメータの位置決め手段と、連通・接続手段として作用する。
【００５０】
ガスメータ接続ユニット３０の円筒状突出部３８（３６）には、特に図１２（ａ）に示すように、外周に溝３８ａが刻設されて、図示のようにガスメータ６０とガスメータ接続ユニット６０を組み立てて接続した状態で、いじり止め付トルクスねじである係合用ねじ７０をガスメータ６０に螺合させ、刻ねじの先端（図示右端）で突出部３８（３６）の前記溝３８ａ（３６ａ）を押圧することにより、ガスメータ６０とガスメータ接続ユニット３０とを結合した状態に係合・固定する。こうすることで、突出部３８（３６）と溝３８ａ（３６ａ）はガスメータ接続ユニットの係合手段として作用し、係合用ねじ７０とこのねじを螺着するガスメータ６０の雌ねじとがガスメータの係合手段として作用する。
【００５１】
図１２（ｂ）においてガスメータ６０の部屋９１は通信用等の端子台を収納していて、ガスメータ６０内の図示されてない電子回路と電気的に接続されている。９２はユニットベース３１に形成した電子回路収納室で、この室内に無線通信端末としての電子回路が収納されている。この電子回路は、部屋９１内の端子と図示されてない電線で電気的に接続されている。孔９１ａと９２ａは部屋９１の下壁と収納室９２の上壁にあけた貫通孔で、これらの孔９１ａと９２ａを通して、部屋９１内の端子と収納室９２内の電気回路を接続する電線をつなぐ。９１ｂは部屋９１の蓋で図１１（ａ）に示すねじ７１，７１でガスメータ６０に固定される。また収納室９２の蓋９２ｂは収納室９２内の無線通信端末からの電波の出入りがしやすいように電波を透過する合成樹脂製の板で作られており、ねじ７２，７２でユニットベース３１に固定されている。
【００５２】
こうして、メータ接続ユニット内に設けた無線端末により、例えば手持ちの無線検針器との間や、遠隔の検針センタとの間で無線通信サービスを行うことができる。
【図面の簡単な説明】
【００５３】
【図１】従来技術を示す図で、同図（ａ）は正面図、（ｂ）は側面図。
【図２】本発明の実施例１を示す図で、（ａ）は平面図、（ｂ）は正面図、（ｃ）は側面図。
【図３】本発明の実施例１で、（ａ）は図２（ａ）におけるＡ−Ａ断面視図、（ｂ）は図２（ｂ）におけるＢ−Ｂ断面視図、（ｃ）は図２（ｂ）におけるＣ−Ｃ断面視図。
【図４】本発明の実施例１で、（ａ）は右上方からの斜視図、（ｂ）は右下方からの斜視図、（ｃ）は図２（ｂ）におけるＢ−Ｂ断面視図、（ｄ）は図２（ｂ）におけるＣ−Ｃ断面視図。
【図５】本発明の実施例２の要部の一部を示す図で、（ａ）は斜め下方からみた斜視図、（ｂ）は正面図。
【図６】本発明の実施例２の要部の一部を示す図で、（ａ）は図５（ｂ）におけるＤ−Ｄ断面視図、（ｂ）は図６（ａ）におけるＥ−Ｅ断面視図。
【図７】本発明の実施例３を示す図で、（ａ）はガスメータを斜め下方からみた斜視図、（ｂ）はガスメータ接続ユニットの平面図、（ｃ）はガスメータ接続ユニットの斜視図。
【図８】本発明の実施例４の要部の一部を示す図で、（ａ）は斜め下方からみた斜視図、（ｂ）は正面図。
【図９】本発明の実施例４の要部の一部を示す図で、（ａ）は図８（ｂ）におけるＦ−Ｆ断面視図、（ｂ）は図８（ｂ）におけるＧ−Ｇ断面視図。
【図１０】本発明の実施例５を示す図で、（ａ）は斜め上方からみた斜視図、（ｂ）は斜め下方からみた斜視図。
【図１１】本発明の実施例５を示す図で、（ａ）は正面図、（ｂ）は側面図、（ｃ）は下面図。
【図１２】本発明の実施例５を示す図で、（ａ）は図１１（ａ）におけるＡ−Ａ断面視図、（ｂ）は図１１（ａ）におけるＢ−Ｂ断面視図、（ｃ）は図１（ｂ）におけるＣ−Ｃ断面視図。
【符号の説明】
【００５４】
３０  ガスメータ接続ユニット
３２  メータガス栓
３３  プラグ
３６  第１の円筒状突出部
３７  Ｏリング
３８  第２の円筒状突出部
３８ａ  係合手段としての溝
３９  Ｏリング
４０  第１の面、当接面
４１  第２の面、当接面
４４，４４Ａ，４４Ｂ  係合手段
６０  ガスメータ
６１，６２  丸穴
６３  第１の当接面
６４  第２の当接面
６５  係合手段としての半月形の凹所
７０  係合手段としての係合用ねじ
９２  無線通信端末としての電子回路を収納する収納室
９２ｂ  蓋
【図１】
2005195558.tif 000003
【図２】
2005195558.tif 000004
【図３】
2005195558.tif 000005
【図４】
2005195558.tif 000006
【図５】
2005195558.tif 000007
【図６】
2005195558.tif 000008
【図７】
2005195558.tif 000009
【図８】
2005195558.tif 000010
【図９】
2005195558.tif 000011
【図１０】
2005195558.tif 000012
【図１１】
2005195558.tif 000013
【図１２】
2005195558.tif 000014